(57)【特許請求の範囲】
【請求項１】
メダル、コイン等の遊技媒体の表面を拭くための帯状拭布を張設する棒状のガイド部材が横設され、
前記ガイド部材は、回転不能に固定されると共に洗浄液が供給されるように長手方向に沿って中空部が形成されるガイド杆と、前記ガイド杆に液通路となる隙間を介して回転自在に遊嵌され外周面に該隙間と連通しかつ長手方向全体に亘り複数の吐出孔を開設した円筒カバー体とからなり、
前記ガイド杆には前記中空部から起立するように配置され該中空部と連通すると共に前記隙間と連通する複数の通孔が該ガイド杆の長手方向に沿って一列に列設され、
前記ガイド杆の中空部に供給される洗浄液を前記通孔及び隙間を介して前記各吐出孔から吐出させて前記ガイド部材と接触する帯状拭布に染み込ませるようにしたことを特徴とする遊技媒体洗浄装置。
【発明の詳細な説明】
【技術分野】
【０００１】
本発明は、メダル、コイン等の遊技媒体を洗浄する遊技媒体洗浄装置に関するものである。
【背景技術】
【０００２】
従来、例えば、遊技機を配設した遊技場にて遊技媒体として使用されるメダルは、遊技者の手垢や循環通路との摩擦等によって汚れることから、その循環通路の途中にメダルを洗浄するためメダル洗浄装置を配設している。該メダル洗浄装置には、その内部に搬送されるメダルの表面に接触させその表面を拭う帯状拭布を複数の棒状のガイド部材により張設するようにしている。また、その帯状拭布によりメダルを拭う前段階として、対向位置させた一対の洗浄液塗布具に洗浄液を供給し、この状態でメダルをその間に通過させ、または、搬送されるメダルを位置検出センサにより検出し、該位置検出センサがメダルを検出したときスプレー缶から洗浄液をそのメダルに噴霧し、メダルの表面に洗浄液を付着させてから帯状拭布により該メダルの表面を拭くようにしている（例えば、特許文献１参照。）。
【０００３】
【特許文献１】特開平７−２２０１３４号公報（第３−４頁、図２、図３）
【発明の開示】
【発明が解決しようとする課題】
【０００４】
前記特許文献１に示されるメダル洗浄装置にあっては、帯状拭布によりメダルの表面を拭う前にメダルの表裏面に洗浄液を付着させるようにしているので、帯状拭布によりメダルを拭い始めると洗浄液もほとんど一緒に拭い落とされてしまう。このため、その後続いてメダルを拭う状態では、メダル表裏面にわずかな洗浄液しか残っておらず、洗浄効果が劣るという課題がある。また、搬送されるメダルが洗浄液塗布具に勢い良く当ったり、スプレー缶でメダルに洗浄液を噴霧するとき、その周囲に余分な洗浄液が飛散してその周囲を甚だしく汚すことになるので、その掃除に多くの労力が必要となり、メンテナンスが面倒であるという課題も有る。
【０００５】
そこで、本発明は、上記課題を解決すべくなされたもので、遊技媒体の洗浄効果を向上させることができると共に遊技媒体洗浄装置内部の洗浄液による汚れも少なくメンテナンスが容易に行なえ、更に、帯状拭布の布幅方向に洗浄液を分散できるようにして洗浄むらの起きるのを防ぐようにした遊技媒体洗浄装置を提供することを目的とするものである。
【課題を解決するための手段】
【０００６】
かかる目的を達成するため、本発明に係る遊技媒体洗浄装置は、メダル、コイン等の遊技媒体の表面を拭くための帯状拭布を張設する棒状のガイド部材が横設され、前記ガイド部材は、回転不能に固定されると共に洗浄液が供給されるように長手方向に沿って中空部が形成されるガイド杆と、前記ガイド杆に液通路となる隙間を介して回転自在に遊嵌され外周面に該隙間と連通しかつ長手方向全体に亘り複数の吐出孔を開設した円筒カバー体とからなり、前記ガイド杆には前記中空部から起立するように配置され該中空部と連通すると共に前記隙間と連通する複数の通孔が該ガイド杆の長手方向に沿って一列に列設され、前記ガイド杆の中空部に供給される洗浄液を前記通孔及び隙間を介して前記各吐出孔から吐出させて前記ガイド部材と接触する帯状拭布に染み込ませるようにしたことを特徴とする。
【発明の効果】
【０００７】
本発明に係る遊技媒体洗浄装置では、メダル、コイン等の遊技媒体の表面を拭くための帯状拭布を張設する棒状のガイド部材が横設され、該ガイド部材は、回転不能に固定されると共に洗浄液が供給されるように長手方向に沿って中空部が形成されるガイド杆と、該ガイド杆に液通路となる隙間を介して回転自在に遊嵌され外周面に該隙間と連通しかつ長手方向全体に亘り複数の吐出孔を開設した円筒カバー体とからなり、前記ガイド杆には中空部から起立するように配置され該中空部と連通すると共に前記隙間と連通する複数の通孔が該ガイド杆の長手方向に沿って一列に列設されている。そして、ガイド杆の中空部に供給される洗浄液を通孔及び隙間を介して各吐出孔から吐出させてガイド部材と接触する帯状拭布に染み込ませるようにしたので、遊技媒体と接触する帯状拭布全体に洗浄液が染み渡り、常に、洗浄液と一緒に帯状拭布により遊技媒体の表面を拭っていることになる。よって、これにより遊技媒体の洗浄効果が向上するという効果を奏する。また、ガイド部材から帯状拭布に洗浄液を染み込ませるようにしたので、その吐出量を調整してやれば、帯状拭布から洗浄液が下へ垂れ流れたり周囲に飛散することがほとんどなく、遊技媒体洗浄装置内部の洗浄液による汚れも少なくなり、メンテナンスが容易となる。更に、円筒カバー体の長手方向全体に亘り吐出孔を開設してなるので、帯状拭布の布幅全体に洗浄液が行き渡り、搬送される内、一部の遊技媒体が良く洗浄されてないという遊技媒体の洗浄むらの起こるのを防ぐことができる。
【発明を実施するための最良の形態】
【０００８】
以下、本発明に係る遊技媒体洗浄装置の実施の形態を図面に基づき説明する。ガイド部材は、スロットマシン、コインゲーム機、パチンコ遊技機等の遊技機に使用するメダル、コイン、パチンコ球等の遊技媒体を洗浄するための遊技媒体洗浄装置に用いられる。図１はメダル洗浄装置の縦断正面図である。同図中、Ａは第１洗浄部、Ｂは第２洗浄部、１０はメダル集合箱で、該メダル集合箱１０に収容された直径の異なるメダルＭ１，Ｍ２は第１洗浄部Ａと第２洗浄部Ｂを通過することにより片面ずつ順に洗浄されてホッパー１１に至る。
【０００９】
第１洗浄部Ａおよび第２洗浄部Ｂは鉛直に支持された組付板１２の前面に形成されており、２０ａは第１洗浄部Ａのコンベヤ、２０ｂは第２洗浄部Ｂのコンベヤである。メダル集合箱１０は上面１０ａが開放され底面１０ｂが傾斜面に形成され、その傾斜下方側面に第１洗浄部Ａのコンベヤ２０ａの下端部が臨んでいる。
【００１０】
図２は第１洗浄部Ａの拡大断面正面図、図３はそのＸ−Ｘ線断面図である。コンベヤ２０ａの無端状の搬送ベルト２１ａは、定幅帯状のゴム布ベルトからなる。そして、図４の斜視図にも示したように、高さがメダルＭ１，Ｍ２の厚さよりも少し低く（高さ１．４ｍｍ）かつ直径が３ｍｍ程の多数の係合部２２ａが、該ゴム布ベルト表面の幅方向にメダルＭ１，Ｍ２の直径よりも狭い２２ｍｍの間隔にて横並びに形成され、ベルト表面の長手方向にはメダルＭ１，Ｍ２の直径よりも広い３５ｍｍの間隔にて連続して形成されている。２３ａ，２４ａは、該搬送ベルト２１ａを巻回している該コンベヤ２０ａの駆動ローラと従動ローラである。該コンベヤ２０ａは、該搬送ベルト２１ａの搬送面がメダル集合箱１０から斜め上向きに起立（起立角度：約７０度）姿勢となるように支持され、該搬送ベルト２１ａを図１矢印で示した方向に駆動することにより該メダル集合箱１０中のメダルＭ１，Ｍ２を図４に示したように隣り合う一対の係合部２２ａの間に填ったような状態で係合させて斜め上向きに搬出させる。
【００１１】
なお、前記搬送ベルト２１ａの係合部２２ａは、背の低い円柱形突起であるが、本発明では係合部２２ａはこの形状に限られることなく、メダルＭ１，Ｍ２を搬送ベルトの表面に係止可能であれば、例えばコ字枠状の係合部を形成するなど、その他の形態に形成してあってもよい。
【００１２】
１３はメダル集合箱１０に設けられたメダル攪拌装置で、該メダル攪拌装置は、図５に示したように、底面１０ｂに複数の突上棒１４をそれぞれ貫通するように設けると共に、低速回転モータ１５の回転軸に複数の偏心カム１６を隣接状に設け、該偏心カム１６の外周に摺接するようにリング１７をそれぞれ設け、該リング１７に該各突上棒１４の下端部を連結している。そして、該偏心カム１６が回転すると該突上棒１４がメダル集合箱１０内に出没動することから、該メダル集合箱１０内のメダルＭ１，Ｍ２が攪拌されるようにしたもので、この攪拌によりメダル集合箱１０中のメダルＭ１，Ｍ２を搬送ベルト２１ａの係合部２２ａ間に係合させ易くしている。
【００１３】
また、３０ａは、無端状の帯状拭布３１ａを前記搬送ベルト２１ａの搬送面に対して適宜間隔を離して平行に張設すると共に、該帯状拭布３１ａを定方向に走行させることにより該帯状拭布３１ａによってメダルＭ１，Ｍ２の表面を拭う拭布支持機構である。そして、ガイド部材３２ａとガイドローラ３３ａおよび駆動ゴムローラ３４ａに該帯状拭布３１ａを巻回すると共に、テンションローラ３５ａを該帯状拭布３１ａに圧接することにより、該帯状拭布３１ａは前記搬送ベルト２１ａの搬送面に対し平行に張設され、駆動ゴムローラ３４ａが回転動することで該帯状拭布３１ａを図１矢印で示した方向に走行させる。なお、帯状拭布３１ａの走行速度は、搬送ベルト２１ａの走行速度よりも低速（約１／１０の速度）となるように設定される。このように帯状拭布３１ａをメダル搬送方向と同方向であって搬送ベルト２１ａよりも低速にて走行させることにより、該帯状拭布３１ａが摩擦によって搬送中のメダルＭ１，Ｍ２に過剰な負荷を掛け、メダルＭ１，Ｍ２が搬送ベルト２１ａの両脇に飛び出してしまうことのないようにしている。
【００１４】
また、上記ガイド部材３２ａは、図６、図７に示すように金属製のガイド杆３６と該ガイド杆３６に遊嵌される２個の円筒カバー体３７ａ，３７ｂとから構成される。ガイド杆３６は、先端が先細の略円柱状をなし、帯状拭布３１ａの幅よりも長く設定されている。その先端に中央胴部３６ａより少し太径の大径部３６ｂが設けられ、内部にその長手方向に沿って洗浄液が供給される中空部３８が形成され、その中空部３８の基端は開放し先端が閉塞されている。該ガイド杆３６すなわち中央胴部３６ａの外周面には、その長手方向に沿って前記中空部３８と連通する複数の通孔３８ａが開設されている。
【００１５】
一方の円筒カバー体３７ａは、合成樹脂製であってその長さが帯状拭布３１ａの布幅より少し長い寸法に設定される。そして、円筒カバー体３７ａの外周面でありかつその中心軸に直交する面内で４等分する位置に、それぞれ長手方向全体に亘り等間隔かつ均等に複数の吐出孔３９が貫設される。このように、吐出孔３９を円筒カバー体３７ａの長手方向全体に亘り等間隔かつ均等に開設するようにしたのは、そこから吐出される洗浄液が帯状拭布３１ａの布幅方向全体に行き渡るようにするためである。また、円筒カバー体３７ａは、ガイド杆３６の中央胴部３６ａの外径よりも少し大きい内径を有し、図７（ロ）に示すように円筒カバー体３７ａをガイド杆３６に遊嵌した状態では、中央胴部３６ａの外周面と円筒カバー体３７ａの内周面との間に洗浄液が流れる液通路としての隙間Ｓが形成される。
【００１６】
他方の円筒カバー体３７ｂも合成樹脂製である。この円筒カバー体３７ｂには吐出孔３９が設けられておらず、専らガイド杆３６の基端側に嵌合しスペーサとしての機能を有する。もっとも、帯状拭布３１が前記他方の円筒カバー体３７ｂに掛かることはない。なお、これら長・短円筒カバー体３７ａ，３７ｂは一体に成形するようにしても良い。
【００１７】
そして、ガイド杆３６に吐出孔３９が開設された長い円筒カバー体３７ａを先に遊嵌し、その後に短い円筒カバー体３７ｂを嵌合する。この状態でガイド杆３６の基端に設けられた雄ネジ部３６ｃを組付板１２に嵌挿し、別途用意されるナット（図示せず。）を螺合する。これにより、ガイド部材３２ａが片持ち式に支持固定される。この場合、ガイド杆３６が回転することはない。
【００１８】
そして、該ガイド杆３６の中空部３８の基端を電磁弁（図示せず。）を介して洗浄液タンク（図示せず。）に連通させ、タイマーの作動によって（例えば５分おきに該電磁弁が開かれて）該洗浄液タンクから洗浄液を上記ガイド杆３６に（例えば２〜３ｃｃずつ）供給するようにしている。これにより、中空部３８に供給された洗浄液は各通孔３８ａを介して中央胴部３６ａの外周面と円筒カバー体３７ａの内周面との間に設けられた隙間Ｓに入り、更に、円筒カバー体３７ａの吐出孔３９から吐出される。吐出された洗浄液は帯状拭布３１ａの布幅方向に万遍に染み渡ることになる。
なお、帯状拭布３１ａの湿潤状態を検出する湿潤センサーを設け、その検出によって洗浄液タンクから洗浄液が自動的に供給され、該帯状拭布３１ａが適度な湿潤状態に保たれるようにしてもよい。
【００１９】
また、４０ａは搬送ベルト２１ａによって搬送されるメダルＭ１，Ｍ２の表面に帯状拭布３１ａを弾性的に押圧するために設けられる拭布押圧機構である。該拭布押圧機構４０ａは、図８に示したように、表面に適宜間隔で複数条の縦溝４１ａが形成された合成樹脂製の押圧板４２ａをカバー板４３ａの内側に配置し、該押圧板４２ａの背面に固植された支持軸４４ａをカバー板４３ａに貫挿する。そして、該押圧板４２ａとカバー板４３ａとの間にコイルバネ等の弾性体４５ａを圧縮状態にて介在させ、該カバー板４３ａをコンベヤ２０ａのコンベヤフレーム（図示せず。）に複数の摘子ネジ４６ａにより着脱自在に組み付けることにより、該弾性体４５ａの弾性により該押圧板４２ａが帯状拭布３１ａを背面から押圧し得るように構成している。なお、摘子ネジ４６ａを緩めることによりカバー板４３ａ、押圧板４２ａがコンベヤフレームから着脱され、必要に応じて帯状拭布３１ａを交換できるようにしている。
【００２０】
次に、第２洗浄部Ｂの構成を説明する。第２洗浄部Ｂは、第１洗浄部Ａにおける上下を倒置した関係にてコンベヤ２０ｂと拭布支持機構３０ｂが配置され、該コンベヤ２０ｂの搬送ベルト２１ｂと拭布支持機構３０ｂの帯状拭布３１ｂによって形成される搬送面が斜め下向き（下傾角度：約３０度）姿勢となるようにしている。４７は第１洗浄部Ａのコンベヤ２０ａの上端部から排出されたメダルＭ１，Ｍ２を受けて該メダルＭ１，Ｍ２を自重で第２洗浄部Ｂの搬送ベルト２１ｂと帯状拭布３１ｂとの間隔に導くために傾斜状に設けられた渡し板である。このため、第１洗浄部Ａのコンベヤ２０ａと第２洗浄部Ｂのコンベヤ２０ｂとは、組付板１２の前面に渡し板４７を介して正面「ヘ」字形に連なるように配置される。
【００２１】
なお、コンベヤ２０ｂは、上記コンベヤ２０ａと同様に定幅帯状のゴムベルトからなる搬送ベルト２１ｂを駆動ローラ２３ｂと従動ローラ２４ｂに巻掛してなるものである。しかしながら、該搬送ベルト２１ｂは表面に搬送ベルト２１ａのような係合部は形成されず、図９に示したように、表面に細かな凹凸が形成されたものを用いることで、メダル表面に対し高い摩擦性が得られるようにしている。このため、渡し板４７から滑落したメダルＭ１，Ｍ２は、搬送ベルト２１ｂが図１矢印で示した方向に駆動されることにより帯状拭布３１ｂとの間を斜め下向きに搬送される。このように搬送ベルト２１ｂには搬送ベルト２１ａのような係合部が形成されていないので、第２洗浄部ＢにおいてメダルＭ１，Ｍ２が係合部上に乗り上げてしまうおそれがなく、第１洗浄部Ａから送られてきたメダルＭ１，Ｍ２が滞留するようなトラブルの発生も無く、常にスムースに搬送することができる。また、搬送ベルト２１ｂは、図示した細かな凹凸（凹状部もしくは凸状部）を縞模様のように形成したが、メダルＭ１，Ｍ２との摩擦係数を高められるようにその他の形態に形成してもよい。
【００２２】
該搬送ベルト２１ｂの走行速度は、第１洗浄浄部Ａのコンベヤ２０ａにおける搬送ベルト２１ａの走行速度よりも少し高速に設定される。これは該搬送ベルト２１ａによって搬送されたメダルＭ１，Ｍ２が渡し板４７上に溜まらないようにするためである。また、拭布支持機構３０ｂは前記拭布支持機構３０ａと同様に帯状拭布３１ｂがガイド部材３２ｂとガイドローラ３３ｂおよび駆動ゴムローラ３４ｂに巻回されている。そして、テンションローラ３５ｂを該帯状拭布３１ｂに圧接することにより、該帯状拭布３１ｂは前記搬送ベルト２１ｂの搬送面に対し平行に張設され、駆動ゴムローラ３４ｂが回転動することで図１矢印で示した方向に搬送ベルト２１ｂの走行速度よりも低速（約１／１０の速度）で走行される。
なお、上記駆動ローラ２３ａ，２３ｂ、駆動ゴムローラ３４ａ，３４ｂ等は組付板１２の裏側に設けられた図示しないスプロケット、チェーン、ギヤ、等の伝動機構およびモータ（図示せず）を駆動源として上記所定の速度で回転駆動される。
【００２３】
また、ガイド部材３２ｂにも洗浄液が供給されるが、該ガイド部材３２ｂはその構造が前記拭布支持機構３０ａにおけるガイド部材３２ａと同じなので、詳しい説明は省略する。そして、前記ガイド部材３２ｂに洗浄液タンクから洗浄液が供給され、帯状拭布３１ｂを常に適度な湿潤状態に維持する。拭布押圧機構４０ｂは、前記拭布押圧機構４０ａと同様に押圧板４２ｂがカバー板４３ｂの内側に配置され、該押圧板４２ｂの背面に固植された支持軸４４ｂをカバー板４３ｂに貫挿させている。そして、該押圧板４２ｂとカバー板４３ｂとの間にコイルバネ等の弾性体４５ｂを圧縮状態にて介在させ、該カバー板４３ｂをコンベヤ２０ｂの両側コンベヤフレーム（図示せず。）に複数の摘子ネジ４６ｂにより着脱自在に組み付ける。これにより、該弾性体４５ｂの弾性により該押圧板４２ｂが帯状拭布３１ｂを押圧し、該帯状拭布３１ｂを搬送ベルト２１ｂによって下向きに搬送されているメダルＭ１，Ｍ２の表面（下面）に帯状拭布３１ｂを弾性的に押圧するように構成している。
【００２４】
このように構成したメダル洗浄装置では、大小のメダルＭ１，Ｍ２を搬送ベルト２１ａの係合部２２ａに係合させて搬送すると共に、該メダルＭ１，Ｍ２の表面にガイド杆３２ａから吐出される洗浄液が染み込んだ帯状拭布３１ａを押圧板４２ａによって適宜押圧力により圧着することによって、該メダルＭ１，Ｍ２の汚れを確実に拭き取ることができる。また、この第１洗浄部Ａを通過した後に該メダルＭ１，Ｍ２は第２洗浄部Ｂに至りて搬送ベルト２１ｂとの摩擦により斜め下向きに搬送され、該メダルの下面に洗浄液を染み込ませた帯状拭布３１ｂを圧着させることにより、該メダルＭ１，Ｍ２を片面ずつ綺麗に洗浄することができる。
【００２５】
本発明は、メダルＭ１，Ｍ２の表面を拭くための帯状拭布３１ａ，３１ｂを張設するガイド部材３２ａ，３２ｂであって、洗浄液が供給されるように中空状に形成されかつ外周面にはその中空部３８と連通する通孔３８ａを開設したガイド杆３６と、該ガイド杆３６に液通路となる隙間Ｓを介して回転自在に遊嵌され外周面に該隙間Ｓと連通しかつ長手方向全体に亘り複数の吐出孔３９を開設した円筒カバー体３７ａ，３７ｂとからなる。そして、ガイド杆３６の中空部３８に供給される洗浄液を通孔３８ａ及び隙間Ｓを介して各吐出孔３９から吐出させてガイド部材３２ａ，３２ｂと接触する帯状拭布３１ａ，３１ｂに染み込ませるようにしたので、メダルＭ１，Ｍ２と接触する帯状拭布３１ａ，３１ｂ全体に洗浄液が染み渡り、常に、洗浄液と一緒に帯状拭布３１ａ，３１ｂによりメダルＭ１，Ｍ２の表面を拭っていることになる。よって、これによりメダルＭ１，Ｍ２の洗浄効果が向上する。また、ガイド部材３２ａ，３２ｂから帯状拭布３１ａ，３１ｂに洗浄液を染み込ませるようにしたので、その吐出量を調整してやれば、帯状拭布３１ａ，３１ｂから洗浄液が下へ垂れ流れたり周囲に飛散することがほとんどなく、メダル洗浄装置内部の洗浄液による汚れも少なくなり、メンテナンスが容易となる。更に、円筒カバー体３７ａの長手方向全体に亘り吐出孔３９を開設してなるので、帯状拭布３１ａ，３１ｂの布幅全体に洗浄液が行き渡り、搬送される内、一部のメダルＭ１，Ｍ２が良く洗浄されてないという洗浄むらの起こるのを防ぐことができる。
【図面の簡単な説明】
【００２６】
【図１】メダル洗浄装置を縦断面した正面図。
【図２】図１の要部拡大縦断面図。
【図３】図２のＸ−Ｘ線断面図。
【図４】メダル洗浄装置における第１洗浄部の搬送ベルトの斜視図。
【図５】図１におけるメダル攪拌装置の縦断面図。
【図６】メダル洗浄装置におけるガイド杆の斜視図。
【図７】（イ）はガイド杆の中央縦断面図、（ロ）は同Ｙ−Ｙ線断面図。
【図８】メダル洗浄装置における拭布支持機構の押圧板の斜視図。
【図９】メダル洗浄装置における第２洗浄部の搬送ベルトの斜視図。
【符号の説明】
【００２７】
３１ａ            帯状拭布
３１ｂ            帯状拭布
３２ａ            ガイド部材
３２ｂ            ガイド部材
３６              ガイド杆
３７ａ            円筒カバー体
３８              中空部
３８ａ            通孔
３９              吐出孔
Ｍ１              遊技媒体（メダル）
Ｍ２              遊技媒体（メダル）
Ｓ                隙間
【図１】
0005172475.tif 000002
【図２】
0005172475.tif 000003
【図３】
0005172475.tif 000004
【図４】
0005172475.tif 000005
【図５】
0005172475.tif 000006
【図６】
0005172475.tif 000007
【図７】
0005172475.tif 000008
【図８】
0005172475.tif 000009
【図９】
0005172475.tif 000010